(57)【特許請求の範囲】
【請求項１】
ブロードキャストメッセージを読み出す方法であって、
ネットワーク側機器により、ユーザ装置（ＵＥ）により報告される測定情報を受け取るステップと、
前記測定情報に従って、前記ＵＥが隣接セルを発見したことが決定されていたとき、ある期間での前記ＵＥのアップリンク資源割当およびダウンリンク資源割当を同時に制限するために、前記ＵＥのアップリンク資源およびダウンリンク資源に対するスケジューリング同期交渉を行うステップと、
前記スケジューリング同期交渉から同期合意に達した後、前記隣接セルのブロードキャストメッセージを読み出すよう前記ＵＥに指示するステップと
を含む、ブロードキャストメッセージを読み出す方法。
【請求項２】
自動隣接関係（ＡＮＲ）処理ユニットから、ダウンリンク・スケジューリング・ユニットがスケジューリング同期要求メッセージを受け取るとき、前記ＵＥのアップリンク資源およびダウンリンク資源に対するスケジューリング同期交渉を行う前記ステップが、
前記ダウンリンク・スケジューリング・ユニットにより、スケジューリング同期交渉メッセージをアップリンク・スケジューリング・ユニットに送信するステップと、
前記アップリンク・スケジューリング・ユニットにより、前記ＵＥがアップリンクデータを受け取る最大時間間隔、およびアップリンクスケジューリングが始まる瞬間を得て、前記ＵＥが前記アップリンクデータを受け取る前記最大時間間隔、および前記アップリンクスケジューリングが始まる前記瞬間を前記ダウンリンク・スケジューリング・ユニットにフィードバックするステップと、
前記ダウンリンク・スケジューリング・ユニットにより、前記ＵＥがダウンリンクデータを受け取る最大時間間隔、および前記アップリンクスケジューリングが始まる前記瞬間と同期してダウンリンクスケジューリングが始まる瞬間を得るステップと、
前記ＵＥが前記アップリンクデータを受け取る前記最大時間間隔、前記ＵＥが前記ダウンリンクデータを受け取る前記最大時間間隔、前記アップリンクスケジューリングが始まる前記瞬間、および前記ダウンリンクスケジューリングが始まる前記瞬間に従って、前記ネットワーク側機器により、前記ＵＥの前記アップリンク資源割当および前記ダウンリンク資源割当が同時に制限される前記期間を決定するステップと
を含む、または
前記ダウンリンク・スケジューリング・ユニットにより、前記ＵＥがダウンリンクデータを受け取る最大時間間隔、およびダウンリンクスケジューリングが始まる前記瞬間を得て、前記ＵＥが前記ダウンリンクデータを受け取る前記最大時間間隔、および前記ダウンリンクスケジューリングが始まる前記瞬間をアップリンク・スケジューリング・ユニットに送信して、スケジューリング同期交渉を行うステップと、
前記アップリンク・スケジューリング・ユニットにより、前記ＵＥがアップリンクデータを受け取る最大時間間隔、および前記ダウンリンクスケジューリングが始まる前記瞬間と同期してアップリンクスケジューリングが始まる瞬間を得るステップと、
前記ＵＥが前記アップリンクデータを受け取る前記最大時間間隔、前記ＵＥが前記ダウンリンクデータを受け取る前記最大時間間隔、前記アップリンクスケジューリングが始まる前記瞬間、および前記ダウンリンクスケジューリングが始まる前記瞬間に従って、前記ネットワーク側機器により、前記ＵＥの前記アップリンク資源割当および前記ダウンリンク資源割当が同時に制限される前記期間を決定するステップと
を含む、請求項１に記載のブロードキャストメッセージを読み出す方法。
【請求項３】
自動隣接関係（ＡＮＲ）処理ユニットから、アップリンク・スケジューリング・ユニットがスケジューリング同期要求メッセージを受け取ったとき、前記ＵＥのアップリンク資源およびダウンリンク資源に対するスケジューリング同期交渉を行う前記ステップが、
前記アップリンク・スケジューリング・ユニットにより、スケジューリング同期交渉メッセージをダウンリンク・スケジューリング・ユニットに送信するステップと、
前記ダウンリンク・スケジューリング・ユニットにより、前記ＵＥがダウンリンクデータを受け取る最大時間間隔、およびダウンリンクスケジューリングが始まる瞬間を得て、前記ＵＥが前記ダウンリンクデータを受け取る前記最大時間間隔、および前記ダウンリンクスケジューリングが始まる前記瞬間を前記アップリンク・スケジューリング・ユニットにフィードバックするステップと、
前記アップリンク・スケジューリング・ユニットにより、前記ＵＥがアップリンクデータを受け取る最大時間間隔、および前記ダウンリンクスケジューリングが始まる前記瞬間と同期してアップリンクスケジューリングが始まる瞬間を得るステップと、
前記ＵＥが前記アップリンクデータを受け取る前記最大時間間隔、前記ＵＥが前記ダウンリンクデータを受け取る前記最大時間間隔、前記アップリンクスケジューリングが始まる前記瞬間、および前記ダウンリンクスケジューリングが始まる前記瞬間に従って、前記ネットワーク側機器により、前記ＵＥの前記アップリンク資源割当および前記ダウンリンク資源割当が同時に制限される前記期間を決定するステップと
を含む、または
前記アップリンク・スケジューリング・ユニットにより、前記ＵＥがアップリンクデータを受け取る最大時間間隔、およびアップリンクスケジューリングが始まる瞬間を得て、前記ＵＥが前記アップリンクデータを受け取る前記最大時間間隔、および前記アップリンクスケジューリングが始まる前記瞬間をダウンリンク・スケジューリング・ユニットに送信して、前記スケジューリング同期交渉を行うステップと、
前記ダウンリンク・スケジューリング・ユニットにより、前記ＵＥがダウンリンクデータを受け取る最大時間間隔、および前記アップリンクスケジューリングが始まる前記瞬間と同期してダウンリンクスケジューリングが始まる瞬間を得るステップと、
前記ＵＥが前記アップリンクデータを受け取る前記最大時間間隔、前記ＵＥが前記ダウンリンクデータを受け取る前記最大時間間隔、前記アップリンクスケジューリングが始まる前記瞬間、および前記ダウンリンクスケジューリングが始まる前記瞬間に従って、前記ネットワーク側機器により、前記ＵＥの前記アップリンク資源割当および前記ダウンリンク資源割当が同時に制限される期間を決定するステップと
を含む、請求項１に記載のブロードキャストメッセージを読み出す方法。
【請求項４】
自動隣接関係（ＡＮＲ）処理ユニットから、アップリンク・スケジューリング・ユニットおよびダウンリンク・スケジューリング・ユニットが前記スケジューリング同期要求メッセージを受け取るとき、前記ＵＥのアップリンク資源およびダウンリンク資源に対するスケジューリング同期交渉を行う前記ステップが、
前記アップリンク・スケジューリング・ユニットにより、前記ＵＥがアップリンクデータを受け取る最大時間間隔、およびアップリンクスケジューリングが始まる瞬間を得るステップと、
前記ダウンリンク・スケジューリング・ユニットにより、前記ＵＥがダウンリンクデータを受け取る最大時間間隔、およびダウンリンクスケジューリングが始まる瞬間を得るステップと、
前記ＵＥが前記ダウンリンクデータを受け取る前記最大時間間隔、前記ＵＥが前記アップリンクデータを受け取る前記最大時間間隔、前記アップリンクスケジューリングが始まる前記瞬間、および前記ダウンリンクスケジューリングが始まる前記瞬間に従って、前記ネットワーク側機器により、同期している前記アップリンクスケジューリングが始まる前記瞬間および前記ダウンリンクスケジューリングが始まる前記瞬間、ならびに前記ＵＥの前記アップリンク資源割当および前記ダウンリンク資源割当が同時に制限される前記期間を決定するステップと
を含む、請求項１に記載のブロードキャストメッセージを読み出す方法。
【請求項５】
前記スケジューリング同期交渉が同期合意に達し、特に、ブロードキャストメッセージを読み出す前記方法が、
前記ネットワーク側機器により、前記ＵＥのアップリンク資源割当およびダウンリンク資源割当が同時に制限される期間を決定するステップ
を含む、請求項１から４のいずれか１項に記載のブロードキャストメッセージを読み出す方法。
【請求項６】
前記ネットワーク側機器のアップリンク・スケジューリング・ユニットおよび／またはダウンリンク・スケジューリング・ユニットにより、スケジューリング同期要求メッセージを受け取るステップ
をさらに含む、請求項１から５のいずれか１項に記載のブロードキャストメッセージを読み出す方法。
【請求項７】
前記ダウンリンク・スケジューリング・ユニットにより、前記ＵＥが前記ダウンリンクデータを受け取る前記最大時間間隔、および前記ダウンリンクスケジューリングが始まる前記瞬間を得る前記ステップが、具体的に、
前記ＵＥのサービスタイプ、および不連続受信（ｄｉｓｃｏｎｔｉｎｕｏｕｓ  ｒｅｃｅｐｔｉｏｎ、ＤＲＸ）サイクルの長さに従って、前記ダウンリンク・スケジューリング・ユニットにより、前記ＵＥが前記ダウンリンクデータを受け取る前記最大時間間隔、および前記ダウンリンクスケジューリングが始まる前記瞬間を得るステップ
を含む、請求項２から４のいずれか１項に記載のブロードキャストメッセージを読み出す方法。
【請求項８】
前記アップリンク・スケジューリング・ユニットにより、前記ＵＥが前記アップリンクデータを受け取る前記最大時間間隔、および前記アップリンクスケジューリングが始まる前記瞬間を得る前記ステップが、具体的に、
前記ＵＥのサービスタイプ、および不連続受信（ＤＲＸ）サイクルの長さに従って、前記アップリンク・スケジューリング・ユニットにより、前記ＵＥが前記アップリンクデータを受け取る前記最大時間間隔、および前記アップリンクスケジューリングが始まる前記瞬間を得るステップ
を含む、請求項２から４のいずれか１項又は請求項７に記載のブロードキャストメッセージを読み出す方法。
【請求項９】
前記ＵＥの前記アップリンク資源割当および前記ダウンリンク資源割当を同時に制限する前記ステップが、具体的に、
ある期間中、アップリンク資源およびダウンリンク資源を前記ＵＥに割り当てるのを停止するステップ、または
前記期間中、より少ないアップリンク資源およびダウンリンク資源をＵＥに割り当てるステップ
を含む、請求項２から４のいずれか１項又は請求項８に記載のブロードキャストメッセージを読み出す方法。
【請求項１０】
前記隣接セルの前記ブロードキャストメッセージを読み出すよう前記ＵＥに指示する前記ステップが、具体的に、
測定構成情報を前記ＵＥに届けて、前記隣接セルの前記ブロードキャストメッセージを読み出すよう前記ＵＥに指示するステップ
を含む、請求項１から９のいずれか１項に記載のブロードキャストメッセージを読み出す方法。
【請求項１１】
前記測定構成情報が前記ＵＥに届けられたときと同時にタイマが設定される、請求項１０に記載のブロードキャストメッセージを読み出す方法。
【請求項１２】
前記隣接セルの前記ブロードキャストメッセージを読み出すよう前記ＵＥに指示する前記ステップの後、
前記ＵＥにより読み出される、前記隣接セルの前記ブロードキャストメッセージを受け取るステップと、
前記ＵＥの前記アップリンク資源および前記ダウンリンク資源の前記スケジューリング同期を取り消すステップと
をさらに含む、請求項１から１１のいずれか１項に記載のブロードキャストメッセージを読み出す方法。
【請求項１３】
前記タイマにより設定される期間に、前記ＵＥが前記隣接セルの前記ブロードキャストメッセージをうまく読み出して報告したとき、前記ネットワーク側機器が、前記ＵＥの前記アップリンク資源および前記ダウンリンク資源の前記スケジューリング同期を取り消す、または
前記タイマにより設定される前記期間が満了したとき、前記ネットワーク側機器が、前記ＵＥの前記アップリンク資源および前記ダウンリンク資源の前記スケジューリング同期を取り消す、請求項１１に記載のブロードキャストメッセージを読み出す方法。
【請求項１４】
ネットワーク側機器であって、
ユーザ装置（ＵＥ）のダウンリンク資源をスケジュールするように構成されるダウンリンク・スケジューリング・ユニットと、
前記ＵＥのアップリンク資源をスケジューリングするように構成されるアップリンク・スケジューリング・ユニットと、
前記ＵＥにより報告される測定情報を受け取り、前記測定情報に従って、前記ＵＥが隣接セルを発見したかどうかを決定し、前記ＵＥが隣接セルを発見したと決定されていた場合、スケジューリング同期要求メッセージを前記アップリンク・スケジューリング・ユニットおよび／または前記ダウンリンク・スケジューリング・ユニットに送信し、前記アップリンク・スケジューリング・ユニットおよび／または前記ダウンリンク・スケジューリング・ユニットが、ある期間での前記ＵＥのアップリンク資源割当およびダウンリンク資源割当を同時に制限するために、前記ＵＥの前記アップリンク資源および前記ダウンリンク資源に対するスケジューリング同期交渉を行い、前記スケジューリング同期交渉から同期合意に達した後、測定構成情報を前記ＵＥに届けて、前記隣接セルのブロードキャストメッセージを読み出すよう前記ＵＥに指示するように構成される自動隣接関係（ａｕｔｏｍａｔｉｃ  ｎｅｉｇｈｂｏｒ  ｒｅｌａｔｉｏｎ、ＡＮＲ）処理ユニットと
を含む、ネットワーク側機器。
【請求項１５】
前記ＡＮＲ処理ユニットが、
前記ＵＥにより報告される前記測定情報を受け取り、前記測定情報に従って、前記ＵＥが隣接セルを発見したかどうかを判断するように構成される測定情報受信および隣接セル判断サブユニットと、
スケジューリング同期要求メッセージを前記ダウンリンク・スケジューリング・ユニットおよび／または前記アップリンク・スケジューリング・ユニットに送信し、前記ダウンリンク・スケジューリング・ユニットおよび前記アップリンク・スケジューリング・ユニットによりフィードバックされる交渉結果を受け取り、前記交渉結果に従って、前記ＵＥの前記アップリンク資源割当および前記ダウンリンク資源割当が同時に制限される前記期間、ならびにスケジューリング同期が始まる瞬間を決定するように構成されるスケジューリング同期処理サブユニットと、
測定構成情報を前記ＵＥに送信して、前記隣接セルの前記ブロードキャストメッセージを読み出すよう前記ＵＥに指示するように構成される構成情報送信サブユニットと
を含む、請求項１４に記載のネットワーク側機器。
【請求項１６】
前記ダウンリンク・スケジューリング・ユニットが、
前記ＵＥがダウンリンクデータを受け取る最大時間間隔、およびダウンリンクスケジューリングが始まる瞬間を得るように構成されるダウンリンクデータ最大時間間隔取得ユニットと、
スケジューリング同期交渉メッセージを前記アップリンク・スケジューリング・ユニットに送信し、前記アップリンク・スケジューリング・ユニットにより送信される、前記ＵＥがアップリンクデータを受け取る最大時間間隔、およびアップリンクスケジューリングが始まる瞬間を受け取るように構成される第１交渉メッセージ送受信サブユニットと、
前記スケジューリング同期処理サブユニットにより送信される前記スケジューリング同期要求メッセージを受け取り、前記ＵＥが前記ダウンリンクデータを受け取る前記最大時間間隔、前記ＵＥが前記アップリンクデータを受け取る前記最大時間間隔、前記ダウンリンクスケジューリングが始まる前記瞬間、および前記アップリンクスケジューリングが始まる前記瞬間を前記スケジューリング同期処理サブユニットにフィードバックするように構成される第１スケジューリング同期要求受信およびフィードバックサブユニットと
を含み、
前記アップリンク・スケジューリング・ユニットが、
前記ＵＥが前記アップリンクデータを受け取る前記最大時間間隔、および前記アップリンクスケジューリングが始まる前記瞬間を得るように構成されるアップリンクデータ最大時間間隔取得ユニットと、
前記第１交渉メッセージ送受信サブユニットにより送信される前記スケジューリング同期交渉メッセージを受け取り、前記ＵＥが前記アップリンクデータを受け取る前記最大時間間隔、および前記アップリンクスケジューリングが始まる前記瞬間を前記第１交渉メッセージ送受信サブユニットに送信するように構成される第１交渉メッセージ受信およびフィードバックサブユニットと
を含む、請求項１５に記載のネットワーク側機器。
【請求項１７】
前記アップリンク・スケジューリング・ユニットが、
前記ＵＥがアップリンクデータを受け取る最大時間間隔、およびアップリンクスケジューリングが始まる瞬間を得るように構成されるアップリンクデータ最大時間間隔取得ユニットと、
スケジューリング同期交渉メッセージを前記ダウンリンク・スケジューリング・ユニットに送信し、前記ダウンリンク・スケジューリング・ユニットにより送信される、前記ＵＥがダウンリンクデータを受け取る最大時間間隔、およびダウンリンクスケジューリングが始まる瞬間を受け取るように構成される第２交渉メッセージ送受信サブユニットと、
前記スケジューリング同期処理サブユニットにより送信される前記スケジューリング同期要求メッセージを受け取り、前記ＵＥが前記ダウンリンクデータを受け取る前記最大時間間隔、前記ＵＥが前記アップリンクデータを受け取る前記最大時間間隔、前記ダウンリンクスケジューリングが始まる前記瞬間、および前記アップリンクスケジューリングが始まる前記瞬間を前記スケジューリング同期処理サブユニットにフィードバックするように構成される第２スケジューリング同期要求受信およびフィードバックサブユニットと
を含み、
前記ダウンリンク・スケジューリング・ユニットが、
前記ＵＥが前記ダウンリンクデータを受け取る前記最大時間間隔、および前記ダウンリンクスケジューリングが始まる前記瞬間を得るように構成されるダウンリンクデータ最大時間間隔取得ユニットと、
前記第２交渉メッセージ送受信サブユニットにより送信される前記スケジューリング同期交渉メッセージを受け取り、前記ＵＥが前記ダウンリンクデータを受け取る前記最大時間間隔、および前記ダウンリンクスケジューリングが始まる前記瞬間を前記第２交渉メッセージ送受信サブユニットに送信するように構成される第２交渉メッセージ受信およびフィードバックサブユニットと
を含む、請求項１５又は１６に記載のネットワーク側機器。
【請求項１８】
前記ダウンリンク・スケジューリング・ユニットが、
前記ＵＥがダウンリンクデータを受け取る最大時間間隔、およびダウンリンクスケジューリングが始まる瞬間を得るように構成されるダウンリンクデータ最大時間間隔取得ユニットと、
前記スケジューリング同期処理サブユニットにより送信される前記スケジューリング同期要求メッセージを受け取り、前記ＵＥが前記ダウンリンクデータを受け取る前記最大時間間隔、および前記ダウンリンクスケジューリングが始まる前記瞬間を前記スケジューリング同期処理サブユニットにフィードバックするように構成される第３スケジューリング同期要求受信およびフィードバックサブユニットと
を含み、
前記アップリンク・スケジューリング・ユニットが、
前記ＵＥがアップリンクデータを受け取る最大時間間隔、およびアップリンクスケジューリングが始まる瞬間を得るように構成されるアップリンクデータ最大時間間隔取得ユニットと、
前記スケジューリング同期処理サブユニットにより送信される前記スケジューリング同期要求メッセージを受け取り、前記ＵＥが前記アップリンクデータを受け取る前記最大時間間隔、および前記アップリンクスケジューリングが始まる前記瞬間を前記スケジューリング同期処理サブユニットにフィードバックするように構成される第４スケジューリング同期要求受信およびフィードバックサブユニットと
を含む、請求項１５から１７のいずれか１項に記載のネットワーク側機器。
【請求項１９】
ブロードキャストメッセージを読み出すシステムであって、ユーザ装置（ＵＥ）を含み、請求項１４から１８のいずれか１項に記載の前記ネットワーク側機器をさらに含み、
前記ＵＥが、測定情報を前記ネットワーク側機器に報告し、前記ネットワーク側機器の指示に従って、前記隣接セルのブロードキャストメッセージを読み出すように構成される、システム。
【発明の詳細な説明】
【技術分野】
【０００１】
本発明は移動通信の分野に関し、詳細にはブロードキャストメッセージを読み出すための方法、システム、および装置に関する。
【背景技術】
【０００２】
ロング・ターム・エボリューション（Ｌｏｎｇ  Ｔｅｒｍ  Ｅｖｏｌｕｔｉｏｎ、ＬＴＥ）プロジェクトは第三世代（３Ｇ）移動通信の発展であり、３Ｇ無線アクセス技術を改善、強化し、直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）技術およびＭＩＭＯ（ｍｕｌｔｉｐｌｅ−ｉｎｐｕｔ  ｍｕｌｔｉｐｌｅ−ｏｕｔｐｕｔ）技術を適用する。ＬＴＥシステムは、スペクトルバンド幅２０ＭＨｚの下でダウンリンク伝送についてはピーク速度１００Ｍビット／秒、およびアップリンク伝送についてはピーク速度５０Ｍビット／秒を提供することができ、したがって、セル端でのユーザ装置（ｕｓｅｒ  ｅｑｕｉｐｍｅｎｔ、ＵＥ）の性能を改善し、セル容量を増大させ、システム遅延を低減する。
【０００３】
無線ネットワークシステムの計画および最適化ではセル関係（ｃｅｌｌ  ｒｅｌａｔｉｏｎ）が常に中心であり、２つの主要な部類、すなわち（ａ）隣接関係、および（ｂ）非隣接関係（交差有効範囲（ｃｒｏｓｓ  ｃｏｖｅｒａｇｅ）の下での異常な隣接関係、および正常な非隣接関係）を主に含む。
【０００４】
以前の隣接関係がたいていは以下のように達成される。隣接関係を確立するための原理に基づき、隣接関係リストが前もって無線ネットワークコントローラ（ｒａｄｉｏ  ｎｅｔｗｏｒｋ  ｃｏｎｔｒｏｌｌｅｒ、ＲＮＣ）上に設定され、次に、ＲＮＣが、カスタマイズされた隣接品質検出を行ってハンドオーバ決定を容易にするために、測定制御（ｍｅａｓｕｒｅｍｅｎｔ  ｃｏｎｔｒｏｌ）メッセージを届けることによりＵＥに隣接情報を届ける。
【０００５】
以前のシステムたとえば広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）の隣接設計方法と異なり、ＬＴＥ自己組織化ネットワークでの自動隣接関係（ａｕｔｏｍａｔｉｃ  ｎｅｉｇｈｂｏｒ  ｒｅｌａｔｉｏｎ、ＡＮＲ）機能は、ＡＮＲの確立および維持を実現させる。機能はセルの自動検出、およびＵＥによる発展型基地局（ｅｖｏｌｖｅｄ  ＮｏｄｅＢ、ｅＮＢ）への報告だけでなく、ｅＮＢによる隣接関係の検出、生成、および削除をより重点的に取り扱い、それによりｅＮＢが隣接関係を追加するときの、パイロット漏出（ｐｉｌｏｔ  ｌｅａｋａｇｅ）のような起こり得る問題による隣接の誤った追加を回避し、その結果、システムの品質および安定性に対する決定が影響を及ぼされない。
【０００６】
現在、ＬＴＥ自己組織化ネットワークのＡＮＲワークフローは以下の通りである。ＵＥがセルＢの検出された物理的セル識別（ｐｈｙｓｉｃａｌ  ｃｅｌｌ  ｉｄｅｎｔｉｔｙ、ＰＣＩ）をセルＡに送信する。ＰＣＩが識別できない場合、ＵＥは、公衆移動通信網（Ｐｕｂｌｉｃ  Ｌａｎｄ  Ｍｏｂｉｌｅ  Ｎｅｔｗｏｒｋ、ＰＬＭＮ）リスト、大域セル識別（ｇｌｏｂａｌ  ｃｅｌｌ  ｉｄｅｎｔｉｔｙ、ＧＣＩ、すなわちＰＬＭＮ識別＋ｅＮＢ識別＋セル識別）、型式認証コード（ｔｙｐｅ  ａｐｐｒｏｖａｌ  ｃｏｄｅ、ＴＡＣ）、資源許可および制御（ｒｅｓｏｕｒｃｅ  ａｄｍｉｓｓｉｏｎ  ａｎｄ  ｃｏｎｔｒｏｌ、ＲＡＣ）コード、ならびにＰＣＩに対応する別のブロードキャストメッセージを読み出すよう指示され、ＵＥはセルＢのブロードキャストメッセージを読み出して報告する。上記流れは周波数内、周波数間、またはシステム間のブロードキャストメッセージの読み出しに適用できる。
【０００７】
現在、ＡＮＲ機能は未知の隣接セル（すなわち、ＰＣＩが識別できないセル）のブロードキャストメッセージを２つの方法で、すなわち不連続受信（ｄｉｓｃｏｎｔｉｎｕｏｕｓ  ｒｅｃｅｐｔｉｏｎ、ＤＲＸ）および測定ギャップ（ＧＡＰ）で読み出す。
【０００８】
ＤＲＸだけが使用される場合、十分なアップリンクもダウンリンクのデータソースもないとき、ＵＥはブロードキャストメッセージを読み出す空き時間をより多く有し、周波数間またはシステム間のブロードキャストメッセージ（ＧＣＩなど）をうまく読み出すことができる。しかし、アップリンクまたはダウンリンクのデータ量が比較的十分あるとき、ＵＥがブロードキャストメッセージを読み出す空き時間が減少するので、それに従って周波数間またはシステムセル間のブロードキャストメッセージをうまく読み出す確率が減少する。
【０００９】
ＧＡＰだけが使用される場合、指定されるサイクル４０ｍｓ内の固定された６ｍｓだけが周波数間またはシステムセル間のブロードキャストメッセージを読み出すために使用されるので、ＵＥによりブロードキャストメッセージをうまく読み出す確率は比較的低い。さらに、異なるシステムセル間のブロードキャストメッセージのサイクルが異なる。したがって、この読み出す方法はすべてのシステム間ブロードキャストメッセージの読み出しに適合しない。
【発明の概要】
【発明が解決しようとする課題】
【００１０】
したがって、現在、時宜を得たやり方で新しい隣接を発見し隣接関係を生成するために、ＵＥが未知の隣接セルのブロードキャストメッセージを迅速に読み出し、メッセージをｅＮＢに報告することができるようにどのようにするかが、移動通信の分野での差し迫った問題である。
【課題を解決するための手段】
【００１１】
本発明の一実施形態がブロードキャストメッセージを読み出す方法を提供する。方法は、ＵＥにより報告される測定情報をネットワーク側機器により受け取るステップと、測定情報に従って、ＵＥが未知の隣接セルを発見したことが決定される場合、ＵＥのアップリンク資源およびダウンリンク資源に対するスケジューリング同期交渉を行うステップと、ＵＥのアップリンク資源およびダウンリンク資源に対するスケジューリング同期交渉が合意に達した後、未知の隣接セルのブロードキャストメッセージを読み出すようＵＥに指示するステップとを含む。
【００１２】
本発明の一実施形態がネットワーク側機器をさらに提供する。ネットワーク側機器は、ＵＥのダウンリンク資源をスケジュールするように適合されるダウンリンク・スケジューリング・ユニットと、ＵＥのアップリンク資源をスケジュールするように適合されるアップリンク・スケジューリング・ユニットと、ＵＥにより報告される測定情報を受け取り、測定情報に従って、ＵＥが未知の隣接セルを発見したかどうかを決定し、ＵＥが未知の隣接セルを発見した場合、スケジューリング同期要求メッセージをアップリンク・スケジューリング・ユニットおよび／またはダウンリンク・スケジューリング・ユニットに送信し、アップリンク・スケジューリング・ユニットおよびダウンリンク・スケジューリング・ユニットがＵＥのアップリンク資源およびダウンリンク資源に対するスケジューリング同期交渉を行い、合意に達した後、ＵＥに測定構成情報を届けて、未知の隣接セルのブロードキャストメッセージを読み出すようＵＥに指示するように適合されるＡＮＲ処理ユニットとを含む。
【００１３】
本発明の一実施形態がブロードキャストメッセージを読み出すシステムをさらに提供する。システムはＵＥ、および上記で説明されるようなネットワーク側機器を含み、ここで、ＵＥは、測定情報をネットワーク側機器に報告し、ネットワーク側機器の指示に従って、未知の隣接セルのブロードキャストメッセージを読み出すように適合される。
【００１４】
本発明の実施形態による技術的解決策では、スケジューリング同期交渉は、ある期間でのＵＥのアップリンク資源割当およびダウンリンク資源割当を同時に制限するために、ＵＥのアップリンク資源およびダウンリンク資源に関して行われ、その結果、ＵＥは、未知の隣接セルのブロードキャストメッセージを読み出すとき、アップリンクおよびダウンリンクの資源によりできるだけ割り込まれず、それにより、システム・ブロードキャスト・メッセージを読み出すより多くの空き時間を有する。したがって、ＵＥは未知の隣接セルのブロードキャストメッセージを迅速に読み出すことができるようにされる。
【図面の簡単な説明】
【００１５】
【図１】本発明の実施形態１に従ってブロードキャストメッセージを読み出す方法の流れ図である。
【図２】本発明の実施形態２に従ってブロードキャストメッセージを読み出す方法の流れ図である。
【図３】本発明の一実施形態による第１のＤＲＸスケジューリングモードの簡略化された概略図である。
【図４】本発明の一実施形態による第２のＤＲＸスケジューリングモードの簡略化された概略図である。
【図５】本発明の実施形態３によるネットワーク側機器の概略の構成図である。
【図６】本発明の実施形態３によるネットワーク側機器の概略の構成図である。
【図７】本発明の実施形態３によるネットワーク側機器の概略の構成図である。
【図８】本発明の実施形態３によるネットワーク側機器の概略の構成図である。
【図９】本発明の実施形態３によるネットワーク側機器の概略の構成図である。
【図１０】本発明の実施形態４による、ブロードキャストメッセージを読み出すシステムの概略の構成図である。
【図１１】本発明の実施形態４によるブロードキャストメッセージを読み出すシステムのワークフロー図である。
【発明を実施するための形態】
【００１６】
本発明の実施形態が、添付図面を参照して以下で詳細に説明される。説明される実施形態は、本発明の実施形態のすべてではなく一部でしかない。創意工夫なしに本発明の実施形態に基づき当業者により得られるすべての別の実施形態が、本発明の保護範囲に入るものとする。
【００１７】
＜実施形態１＞
この実施形態はブロードキャストメッセージを読み出す方法を提供する。図１に示されるように、本方法は以下のステップを含む。
【００１８】
Ｓ１０：ネットワーク側機器がＵＥにより報告された測定情報を受け取る。
【００１９】
Ｓ１１：測定情報に従って、ＵＥが未知の隣接セルを発見したことが決定された場合、ＵＥのアップリンク資源およびダウンリンク資源に対するスケジューリング同期交渉を行う。
【００２０】
Ｓ１２：ＵＥのアップリンク資源およびダウンリンク資源に対するスケジューリング同期交渉が合意に達した後、未知の隣接セルのブロードキャストメッセージを読み出すようＵＥに指示する。
【００２１】
この実施形態に従ってブロードキャストメッセージを読み出す方法では、ある期間でのＵＥのアップリンク資源割当およびダウンリンク資源割当を同時に制限するために、ＵＥのアップリンク資源およびダウンリンク資源に関してスケジューリング同期交渉が行われ、その結果、ＵＥは、未知の隣接セルのブロードキャストメッセージを読み出すとき、アップリンクおよびダウンリンクの資源によりできるだけ割り込まれず、それによりシステム・ブロードキャスト・メッセージを読み出すより多くの空き時間を有する。したがって、ＵＥは未知の隣接セルのブロードキャストメッセージを迅速に読み出すことができるようにされる。
【００２２】
＜実施形態２＞
この実施形態はブロードキャストメッセージを読み出す方法を提供する。図２に示されるように、本方法は以下のステップを含む。
【００２３】
Ｓ２０：ネットワーク側機器がＵＥにより報告された測定情報を受け取る。
【００２４】
Ｓ２１：測定情報に従って、ＵＥが未知の隣接セルを発見したことが決定された場合、ネットワーク側機器は、ＵＥのアップリンク資源およびダウンリンク資源に対するスケジューリング同期交渉を行う。
【００２５】
上記ステップＳ２１では、ＵＥのアップリンク資源およびダウンリンク資源に対するスケジューリング同期交渉は、多くの方法により実現されることができる。方法のうち３つだけが以下に列挙されている。この実施形態でのネットワーク側機器は、ダウンリンク・スケジューリング・ユニット、アップリンク・スケジューリング・ユニット、およびＡＮＲ処理ユニットを含む。ダウンリンク・スケジューリング・ユニットはダウンリンク資源を割り当てるように適合される。アップリンク・スケジューリング・ユニットはアップリンク資源を割り当てるように適合される。ＡＮＲ処理ユニットは、ＵＥにより報告される測定情報を受け取り、測定情報に従って、ＵＥが未知の隣接セルを発見したかどうかを決定し、ＵＥが未知の隣接セルを発見した場合、スケジューリング同期要求メッセージをアップリンク・スケジューリング・ユニットおよび／またはダウンリンク・スケジューリング・ユニットに送信し、アップリンク・スケジューリング・ユニットおよびダウンリンク・スケジューリング・ユニットがＵＥのアップリンク資源およびダウンリンク資源に対するスケジューリング同期交渉を行い、合意に達した後、測定構成情報をＵＥに届けて、未知の隣接セルのブロードキャストメッセージを読み出すようＵＥに指示するように適合される。
【００２６】
第１の方法
【００２７】
Ｓ１１０：ダウンリンク・スケジューリング・ユニットがスケジューリング同期要求メッセージを受け取る。
【００２８】
Ｓ１１１：ダウンリンク・スケジューリング・ユニットおよびアップリンク・スケジューリング・ユニットが、ＵＥのアップリンク資源およびダウンリンク資源に対するスケジューリング同期交渉を行う。
【００２９】
具体的には、ステップＳ１１１は以下のステップを含んでもよい。
【００３０】
Ｓ１１１０：ダウンリンク・スケジューリング・ユニットがスケジューリング同期交渉メッセージをアップリンク・スケジューリング・ユニットに送信する。
【００３１】
Ｓ１１１１：ＵＥのサービスのクラス、およびＤＲＸサイクルの長さに従って、アップリンク・スケジューリング・ユニットは、ＵＥがアップリンクデータを受け取る最大時間間隔（すなわち、最大アップリンクスケジューリング時間窓）、およびアップリンクスケジューリングが始まる瞬間を得て、ＵＥがアップリンクデータを受け取る最大時間間隔、およびアップリンクスケジューリングが始まる瞬間をダウンリンク・スケジューリング・ユニットにフィードバックする。ＤＲＸが構成された場合、ＤＲＸサイクルの長さに対する元のＤＲＸ構成が維持されてもよい、またはＤＲＸがＤＲＸサイクルの長さを変更するように再構成されてもよい。さらにＤＲＸが構成されなかった場合、ＤＲＸは構成される必要がある。
【００３２】
図３に示されるように、ＵＥのサービスのクラス、およびＤＲＸサイクルの長さに従って、ＵＥがアップリンクデータを受け取る最大時間間隔は、１つまたは複数のＤＲＸサイクルでもよい、すなわち１つまたは複数のＤＲＸサイクルに対してアップリンクもダウンリンクもスケジューリングが行われないことがあり得る。アップリンクもダウンリンクもスケジューリングが行われないＤＲＸサイクルは規則的でも不規則でもよい。
【００３３】
さらに、図４に示されるように、ＵＥのサービスのクラス、およびＤＲＸサイクルの長さに従って、ＵＥがアップリンクデータを受け取る最大時間間隔は、１つまたは複数のＤＲＸサイクルでもよい、すなわちアップリンクおよびダウンリンクの資源は、１つまたは複数のＤＲＸサイクルの間隔で集中化されたやり方でスケジュールされてもよい。アップリンクもダウンリンクもスケジューリングが行われないＤＲＸサイクルは、規則的でも不規則でもよい。しかし、図３と異なり、アップリンクおよびダウンリンクの資源が集中化されたやり方でスケジュールされるＤＲＸサイクルでは、アップリンクおよびダウンリンクの資源の集中化されたスケジューリングがＤＲＸの活動期間中に完了しない場合、アップリンクおよびダウンリンクの資源の集中化されたスケジューリングは、ＤＲＸのスリープ期間中に継続されてもよい。
【００３４】
Ｓ１１１２：ＵＥのサービスのクラス、およびＤＲＸサイクルの長さに従って、ダウンリンク・スケジューリング・ユニットは、ＵＥがダウンリンクデータを受け取る最大時間間隔（すなわち、最大ダウンリンクスケジューリング時間窓）、およびアップリンクスケジューリングが始まった瞬間と同期してダウンリンクスケジューリングが始まる瞬間を得る。ＵＥがダウンリンクデータを受け取る最大時間間隔を決定する方法およびステップは、ステップＳ１１１１の方法およびステップと同じである。
【００３５】
Ｓ１１１３：ＵＥがアップリンクデータを受け取る最大時間間隔、ＵＥがダウンリンクデータを受け取る最大時間間隔、アップリンクスケジューリングが始まる瞬間、およびダウンリンクスケジューリングが始まる瞬間に従って、ネットワーク側機器のアップリンク・スケジューリング・ユニット、またはダウンリンク・スケジューリング・ユニット、またはＡＮＲ処理ユニットは、ＵＥのアップリンク資源割当およびダウンリンク資源割当が同時に制限される期間を決定する。
【００３６】
任意選択で、ステップＳ１１１はまた、以下のステップを具体的に含んでもよい。
【００３７】
Ｓ１１１０’：ＵＥのサービスのクラス、およびＤＲＸサイクルの長さに従って、ダウンリンク・スケジューリング・ユニットは、ＵＥがダウンリンクデータを受け取る最大時間間隔、およびダウンリンクスケジューリングが始まる瞬間を得て、ＵＥがダウンリンクデータを受け取る最大時間間隔、およびダウンリンクスケジューリングが始まる瞬間をアップリンク・スケジューリング・ユニットに送信して、スケジューリング同期交渉を行う。ＤＲＸが構成された場合、ＤＲＸサイクルの長さに対する元のＤＲＸ構成が維持されてもよい、またはＤＲＸがＤＲＸサイクルの長さを変更するように再構成されてもよい。さらにＤＲＸが構成されなかった場合、ＤＲＸは構成される必要がある。ＵＥがダウンリンクデータを受け取る最大時間間隔を決定する方法およびステップは、ステップＳ１１１１の方法およびステップと同じである。
【００３８】
Ｓ１１１１’：ＵＥのサービスのクラス、およびＤＲＸサイクルの長さに従って、アップリンク・スケジューリング・ユニットは、ＵＥがアップリンクデータを受け取る最大時間間隔、およびダウンリンクスケジューリングが始まる瞬間と同期してアップリンクスケジューリングが始まる瞬間を得る。ＵＥがアップリンクデータを受け取る最大時間間隔を決定する方法およびステップは、ステップ１１１１の方法およびステップと同じである。
【００３９】
Ｓ１１１２’：ＵＥがアップリンクデータを受け取る最大時間間隔、ＵＥがダウンリンクデータを受け取る最大時間間隔、アップリンクスケジューリングが始まる瞬間、およびダウンリンクスケジューリングが始まる瞬間に従って、ネットワーク側機器のアップリンク・スケジューリング・ユニット、またはダウンリンク・スケジューリング・ユニット、またはＡＮＲ処理ユニットは、ＵＥのアップリンク資源割当およびダウンリンク資源割当が同時に制限される期間を決定する。
【００４０】
第２の方法
【００４１】
Ｓ２１０：アップリンク・スケジューリング・ユニットがスケジューリング同期要求メッセージを受け取る。
【００４２】
Ｓ２１１：アップリンク・スケジューリング・ユニットおよびダウンリンク・スケジューリング・ユニットが、ＵＥのアップリンク資源およびダウンリンク資源に対するスケジューリング同期交渉を行う。
【００４３】
任意選択で、ステップＳ２１１は以下のステップを具体的に含んでもよい。
【００４４】
Ｓ２１１０：アップリンク・スケジューリング・ユニットがスケジューリング同期交渉メッセージをダウンリンク・スケジューリング・ユニットに送信する。
【００４５】
Ｓ２１１１：ＵＥのサービスのクラス、およびＤＲＸサイクルの長さに従って、ダウンリンク・スケジューリング・ユニットは、ＵＥがダウンリンクデータを受け取る最大時間間隔、およびダウンリンクスケジューリングが始まる瞬間を得て、ＵＥがダウンリンクデータを受け取る最大時間間隔、およびダウンリンクスケジューリングが始まる瞬間をアップリンク・スケジューリング・ユニットにフィードバックする。ＤＲＸが構成された場合、ＤＲＸサイクルの長さに対する元のＤＲＸ構成が維持されてもよい、またはＤＲＸがＤＲＸサイクルの長さを変更するように再構成されてもよい。そしてＤＲＸが構成されなかった場合、ＤＲＸは構成される必要がある。ＵＥがダウンリンクデータを受け取る最大時間間隔を決定する方法およびステップは、ステップＳ１１１１の方法およびステップと同じである。
【００４６】
Ｓ２１１２：ＵＥのサービスのクラス、およびＤＲＸサイクルの長さに従って、アップリンク・スケジューリング・ユニットは、ＵＥがアップリンクデータを受け取る最大時間間隔、およびダウンリンクスケジューリングが始まる瞬間と同期してアップリンクスケジューリングが始まる瞬間を得る。ＵＥがアップリンクデータを受け取る最大時間間隔を決定する方法およびステップは、Ｓ１１１１の方法およびステップと同じである。
【００４７】
Ｓ２１１３：ＵＥがアップリンクデータを受け取る最大時間間隔、ＵＥがダウンリンクデータを受け取る最大時間間隔、アップリンクスケジューリングが始まる瞬間、およびダウンリンクスケジューリングが始まる瞬間に従って、ネットワーク側機器のアップリンク・スケジューリング・ユニット、またはダウンリンク・スケジューリング・ユニット、またはＡＮＲ処理ユニットが、ＵＥのアップリンク資源割当およびダウンリンク資源割当が同時に制限される期間を決定する。
【００４８】
任意選択で、ステップＳ２１１はまた、以下のステップを具体的に含んでもよい。
【００４９】
Ｓ２１１０’：ＵＥのサービスのクラス、およびＤＲＸサイクルの長さに従って、アップリンク・スケジューリング・ユニットは、ＵＥがアップリンクデータを受け取る最大時間間隔、およびアップリンクスケジューリングが始まる瞬間を得て、ＵＥがアップリンクデータを受け取る最大時間間隔、およびアップリンクスケジューリングが始まる瞬間をダウンリンク・スケジューリング・ユニットに送信して、スケジューリング同期交渉を行う。ＤＲＸが構成された場合、ＤＲＸサイクルの長さに対する元のＤＲＸ構成が維持されてもよい、またはＤＲＸがＤＲＸサイクルの長さを変更するように再構成されてもよい。そしてＤＲＸが構成されなかった場合、ＤＲＸは構成される必要がある。ＵＥがダウンリンクデータを受け取る最大時間間隔を決定する方法およびステップは、ステップＳ１１１１の方法およびステップと同じである。
【００５０】
Ｓ２１１１’：ＵＥのサービスのクラス、およびＤＲＸサイクルの長さに従って、ダウンリンク・スケジューリング・ユニットは、ＵＥがダウンリンクデータを受け取る最大時間間隔、およびアップリンクスケジューリングが始まる瞬間と同期してダウンリンクスケジューリングが始まる瞬間を得る。ＵＥがダウンリンクデータを受け取る最大時間間隔を決定する方法およびステップは、ステップＳ１１１１の方法およびステップと同じである。
【００５１】
Ｓ２１１２’：ＵＥがアップリンクデータを受け取る最大時間間隔、ＵＥがダウンリンクデータを受け取る最大時間間隔、アップリンクスケジューリングが始まる瞬間、およびダウンリンクスケジューリングが始まる瞬間に従って、ネットワーク側機器のアップリンク・スケジューリング・ユニット、またはダウンリンク・スケジューリング・ユニット、またはＡＮＲ処理ユニットが、ＵＥのアップリンク資源割当およびダウンリンク資源割当が同時に制限される期間を決定する。
【００５２】
第３の方法
【００５３】
Ｓ３１０：アップリンク・スケジューリング・ユニットおよびダウンリンク・スケジューリング・ユニットが、スケジューリング同期要求メッセージを受け取る。
【００５４】
Ｓ３１１：アップリンク・スケジューリング・ユニットおよびダウンリンク・スケジューリング・ユニットが、ＵＥのアップリンク資源およびダウンリンク資源に対するスケジューリング同期交渉を行う。
【００５５】
任意選択で、ステップＳ３１１は以下のステップを具体的に含んでもよい。
【００５６】
Ｓ３１１０：アップリンク・スケジューリング・ユニットおよびダウンリンク・スケジューリング・ユニットが、スケジューリング同期要求メッセージを受け取る。
【００５７】
Ｓ３１１１：ＵＥのサービスのクラス、およびＤＲＸサイクルの長さに従って、アップリンク・スケジューリング・ユニットは、ＵＥがアップリンクデータを受け取る最大時間間隔、およびアップリンクスケジューリングが始まる瞬間を得て、ＵＥのサービスのクラス、およびＤＲＸサイクルの長さに従って、ダウンリンク・スケジューリング・ユニットは、ＵＥがダウンリンクデータを受け取る最大時間間隔、およびダウンリンクスケジューリングが始まる瞬間を得る。ＤＲＸが構成された場合、ＤＲＸサイクルの長さに対する元のＤＲＸ構成が維持されてもよい、またはＤＲＸがＤＲＸサイクルの長さを変更するように再構成されてもよい。そしてＤＲＸが構成されなかった場合、ＤＲＸは構成される必要がある。ＵＥがダウンリンクまたはアップリンクのデータを受け取る最大時間間隔を決定する方法およびステップは、ステップＳ１１１１の方法およびステップと同じである。
【００５８】
Ｓ３１１２：ＵＥがダウンリンクデータを受け取る最大時間間隔、ＵＥがアップリンクデータを受け取る最大時間間隔、アップリンクスケジューリングが始まる瞬間、およびダウンリンクスケジューリングが始まる瞬間に従って、ネットワーク側機器のアップリンク・スケジューリング・ユニット、またはダウンリンク・スケジューリング・ユニット、またはＡＮＲ処理ユニットが、同期している、アップリンクスケジューリングが始まる瞬間およびダウンリンクスケジューリングが始まる瞬間、ならびにＵＥのアップリンク資源割当およびダウンリンク資源割当が同時に制限される期間を決定する。
【００５９】
上記の３つの方法では、アップリンクスケジューリングが始まる瞬間、およびダウンリンクスケジューリングが始まる瞬間が同じ、またはできるだけ同じである状況を含み、アップリンクスケジューリングが始まる瞬間、およびダウンリンクスケジューリングが始まる瞬間が同期している。
【００６０】
さらに、ステップＳ１１１３、Ｓ１１１２’、Ｓ２１１３、Ｓ２１１２’、およびＳ３１１２では、ＵＥのアップリンク資源割当およびダウンリンク資源割当を同時に制限するステップが、具体的には、期間中にアップリンク資源およびダウンリンク資源をＵＥに割り当てるのを停止するステップ、または期間中、より少ないアップリンク資源およびダウンリンク資源をＵＥに割り当てるステップを含む。期間中、より少ないアップリンク資源およびダウンリンク資源をＵＥに割り当てるステップは、ＵＥのサービス品質（ｑｕａｌｉｔｙ  ｏｆ  ｓｅｒｖｉｃｅ、ＱｏＳ）が満たされることを前提に、期間中、できるだけ少ないアップリンク資源およびダウンリンク資源をＵＥに割り当てることを意味する。
【００６１】
Ｓ２２：ＵＥのアップリンク資源およびダウンリンク資源に対するスケジューリング同期交渉が合意に達した後、ネットワーク側機器は、未知の隣接セルのブロードキャストメッセージを読み出すようＵＥに指示する。未知の隣接セルのブロードキャストメッセージを読み出すようＵＥに指示することは、具体的には、測定構成情報をＵＥに届けて、未知の隣接セルのブロードキャストメッセージを読み出すようＵＥに指示することである。
【００６２】
さらになお、測定構成情報がＵＥに届けられたときと同時にタイマが設定される。タイマは、ＵＥのアップリンク資源割当およびダウンリンク資源割当が同時に制限される期間を測定するように適合される。
【００６３】
Ｓ２３：ＵＥにより読み出された、未知の隣接セルのブロードキャストメッセージを受け取る。
【００６４】
Ｓ２４：ＵＥのアップリンク資源およびダウンリンク資源のスケジューリング同期を取り消す。
【００６５】
さらになお、ＵＥが、タイマにより設定された期間、未知の隣接セルのブロードキャストメッセージをうまく読み出し報告するとき、ネットワーク側機器は、ＵＥのアップリンク資源およびダウンリンク資源のスケジューリング同期を取り消す、またはタイマにより設定された期間が満了したとき、ネットワーク側機器は、ＵＥのアップリンク資源およびダウンリンク資源のスケジューリング同期を取り消す。
【００６６】
この実施形態に従ってブロードキャストメッセージを読み出す方法では、スケジューリング同期交渉が、ある期間でのＵＥのアップリンク資源割当およびダウンリンク資源割当を同時に制限するために、ＵＥのアップリンク資源およびダウンリンク資源に関して行われ、その結果、ＵＥは、未知の隣接セルのブロードキャストメッセージを読み出しているとき、アップリンクおよびダウンリンクの資源によりできるだけ割り込まれず、それにより、システム・ブロードキャスト・メッセージを読み出すより多くの空き時間を有する。さらに、アップリンク・スケジューリング・ユニットおよびダウンリンク・スケジューリング・ユニットは、ＵＥのサービスタイプに従ってスケジューリングポリシを調節することができる。したがって、ＵＥは未知の隣接セルのブロードキャストメッセージ（たとえばＧＣＩ）を迅速に読み出すことができるようにされる。
【００６７】
以下は、ＵＥのアップリンク資源割当およびダウンリンク資源割当が同時に制限される期間が、ＵＥがアップリンクデータを受け取る最大時間間隔、ＵＥがダウンリンクデータを受け取る最大時間間隔、アップリンクスケジューリングが始まる瞬間、およびダウンリンクスケジューリングが始まる瞬間に従ってどのようにして決定されるかを説明する。
【００６８】
説明は以下の仮定に基づく。すなわち、ＵＥがアップリンクデータを受け取る最大時間間隔がＴ１であり、アップリンクスケジューリングが始まる瞬間がＡ１であり、ＵＥがダウンリンクデータを受け取る最大時間間隔がＴ２であり、ダウンリンクスケジューリングが始まる瞬間がＡ２である。まず、Ｔ１、Ｔ２、Ａ１、およびＡ２はＡ１＝Ａ２を満たす、またはＡ１はＡ２より後であり、かつＡ２はＡ１とＡ１＋Ｔ１の間に配置される、またはＡ２はＡ１より後であり、かつＡ１はＡ２とＡ２＋Ｔ２の間に配置される。条件が満たされることを前提に、期間は、
Ａ１＝Ａ２、かつＴ１＝Ｔ２の場合、スケジューリング同期が始まる瞬間はＡ１であり、期間はＴ１である。そして
Ａ１がＡ２より後であり、かつＴ１＝Ｔ２である場合、スケジューリング同期が始まる瞬間はＡ１でもＡ２でもよく、期間はＴ１またはＡ２−Ａ１＋Ｔ１である。
【００６９】
明らかに、Ａ１、Ａ２、Ｔ１、およびＴ２の別の組合せも受け入れることができる。
【００７０】
＜実施形態３＞
この実施形態はネットワーク側機器５００を提供する。図５に示されるように、ネットワーク側機器５００は、ダウンリンク・スケジューリング・ユニット３０１、アップリンク・スケジューリング・ユニット３０２、およびＡＮＲ処理ユニット３０３を含む。
【００７１】
ダウンリンク・スケジューリング・ユニット３０１はＵＥのダウンリンク資源をスケジュールするように適合される。アップリンク・スケジューリング・ユニット３０２はＵＥのアップリンク資源をスケジュールするように適合される。ＡＮＲ処理ユニット３０３は、ＵＥにより報告される測定情報（たとえばＰＣＩ情報）を受け取り、測定情報に従って、ＵＥが未知の隣接セルを発見したかどうかを決定し、ＵＥが未知の隣接セルを発見した場合、スケジューリング同期要求メッセージをダウンリンク・スケジューリング・ユニット３０１および／またはアップリンク・スケジューリング・ユニット３０２に送信し、アップリンク・スケジューリング・ユニット３０２およびダウンリンク・スケジューリング・ユニット３０１がＵＥのアップリンク資源およびダウンリンク資源に対するスケジューリング同期交渉を行い、合意に達した後、測定構成情報をＵＥに届けて、ＰＣＩに対応する未知の隣接セルの別のパラメータ（たとえばＰＬＭＮ  Ｉｄ、ＧＣＩ、ＴＡＣ、またはＲＡＣ）を得るために、未知の隣接セルのブロードキャストメッセージを読み出すようＵＥに指示し、ＵＥにより報告される結果に従って隣接を生成するように適合される。
【００７２】
この実施形態でのネットワーク側機器は、発展型基地局（ｅＮＢ）またはＲＮＣである。
【００７３】
任意選択で、図６に示されるように、ネットワーク側機器５００内のＡＮＲ処理ユニット３０３は、測定情報受信および未知の隣接セル判断サブユニット３０６、スケジューリング同期処理サブユニット３０４、および構成情報送信サブユニット３０５をさらに含んでもよい。測定情報受信および未知の隣接セル判断サブユニット３０６は、ＵＥにより報告される測定情報を受け取り、測定情報に従って、ＵＥが未知の隣接セルを発見したかどうかを判断するように適合される。スケジューリング同期処理サブユニット３０４は、スケジューリング同期要求メッセージをダウンリンク・スケジューリング・ユニット３０１および／またはアップリンク・スケジューリング・ユニット３０２に送信し、ダウンリンク・スケジューリング・ユニット３０１およびアップリンク・スケジューリング・ユニット３０２によりフィードバックされる交渉結果を受け取り、交渉結果に従って、ＵＥのアップリンク資源割当およびダウンリンク資源割当が同時に制限される期間、ならびにスケジューリング同期が始まる瞬間を決定するように適合される。構成情報送信サブユニット３０５は、測定構成情報をＵＥに送信して、未知の隣接セルのブロードキャストメッセージを読み出すようＵＥに指示するように適合される。
【００７４】
さらに、図６に示されるように、ネットワーク側機器は、ＤＲＸを構成するように適合されるＤＲＸ構成ユニット３０７をさらに含んでもよい。
【００７５】
任意選択で、図７に示されるように、ネットワーク側機器５００内のダウンリンク・スケジューリング・ユニット３０１は、ダウンリンクデータ最大時間間隔取得ユニット５０３、第１交渉メッセージ送受信サブユニット５０２、および第１スケジューリング同期要求受信およびフィードバックサブユニット５０１を含んでもよい。
【００７６】
ダウンリンクデータ最大時間間隔取得ユニット５０３は、ＵＥのサービスのクラス、およびＤＲＸサイクルの長さに従って、ＵＥがダウンリンクデータを受け取る最大時間間隔、およびダウンリンクスケジューリングが始まる瞬間を得るように適合される。第１交渉メッセージ送受信サブユニット５０２は、スケジューリング同期交渉メッセージをアップリンク・スケジューリング・ユニット３０２に送信し、アップリンク・スケジューリング・ユニット３０２により送信される、ＵＥがアップリンクデータを受け取る最大時間間隔、およびアップリンクスケジューリングが始まる瞬間を受け取るように適合される。第１スケジューリング同期要求受信およびフィードバックサブユニット５０１は、スケジューリング同期処理サブユニット３０４により送信されるスケジューリング同期要求メッセージを受け取り、ＵＥがダウンリンクデータを受け取る最大時間間隔、ＵＥがアップリンクデータを受け取る最大時間間隔、ダウンリンクスケジューリングが始まる瞬間、およびアップリンクスケジューリングが始まる瞬間をスケジューリング同期処理サブユニット３０４にフィードバックするように適合される。
【００７７】
したがって、ネットワーク側機器５００内のアップリンク・スケジューリング・ユニット３０２は、アップリンクデータ最大時間間隔取得ユニット５０６、および第１交渉メッセージ受信およびフィードバックサブユニット５０５を含んでもよい。アップリンクデータ最大時間間隔取得ユニット５０６は、ＵＥのサービスのクラス、およびＤＲＸサイクルの長さに従って、ＵＥがアップリンクデータを受け取る最大時間間隔、およびアップリンクスケジューリングが始まる瞬間を得るように適合される。第１交渉メッセージ受信およびフィードバックサブユニット５０５は、第１交渉メッセージ送受信サブユニット５０２により送信されるスケジューリング同期交渉メッセージを受け取り、ＵＥがアップリンクデータを受け取る最大時間間隔、およびアップリンクスケジューリングが始まる瞬間を第１交渉メッセージ送受信サブユニット５０２に送信するように適合される。アップリンクスケジューリングが始まる瞬間、およびダウンリンクスケジューリングが始まる瞬間は、同じ、またはできるだけ同じである。
【００７８】
任意選択で、図８に示されるように、この実施形態によるネットワーク側機器５００内のアップリンク・スケジューリング・ユニット３０２はまた、アップリンクデータ最大時間間隔取得ユニット６０１、第２交渉メッセージ送受信サブユニット６０２、および第２スケジューリング同期要求受信およびフィードバックサブユニット６０３を含んでもよい。
【００７９】
アップリンクデータ最大時間間隔取得ユニット６０１は、ＵＥのサービスのクラス、およびＤＲＸサイクルの長さに従って、ＵＥがアップリンクデータを受け取る最大時間間隔、およびアップリンクスケジューリングが始まる瞬間を得るように適合される。第２交渉メッセージ送受信サブユニット６０２は、スケジューリング同期交渉メッセージをダウンリンク・スケジューリング・ユニット３０１に送信し、ダウンリンク・スケジューリング・ユニット３０１により送信される、ＵＥがダウンリンクデータを受け取る最大時間間隔、およびダウンリンクスケジューリングが始まる瞬間を受け取るように適合される。第２スケジューリング同期要求受信およびフィードバックサブユニット６０３は、スケジューリング同期処理サブユニット３０４により送信されるスケジューリング同期要求メッセージを受け取り、ＵＥがダウンリンクデータを受け取る最大時間間隔、ＵＥがアップリンクデータを受け取る最大時間間隔、ダウンリンクスケジューリングが始まる瞬間、およびアップリンクスケジューリングが始まる瞬間をスケジューリング同期処理サブユニット３０４にフィードバックするように適合される。
【００８０】
したがって、ネットワーク側機器５００内のダウンリンク・スケジューリング・ユニット３０１は、ダウンリンクデータ最大時間間隔取得ユニット６０４、および第２交渉メッセージ受信およびフィードバックサブユニット６０５を含む。
【００８１】
ダウンリンクデータ最大時間間隔取得ユニット６０４は、ＵＥのサービスのクラス、およびＤＲＸサイクルの長さに従って、ＵＥがダウンリンクデータを受け取る最大時間間隔、およびダウンリンクスケジューリングが始まる瞬間を得るように適合される。第２交渉メッセージ受信およびフィードバックサブユニット６０５は、第２交渉メッセージ送受信サブユニット６０２により送信されるスケジューリング同期交渉メッセージを受け取り、ＵＥがダウンリンクデータを受け取る最大時間間隔、およびダウンリンクスケジューリングが始まる瞬間を第２交渉メッセージ送受信サブユニット６０２に送信するように適合される。アップリンクスケジューリングが始まる瞬間、およびダウンリンクスケジューリングが始まる瞬間は、同じ、またはできるだけ同じである。
【００８２】
任意選択で、図９に示されるように、この実施形態によるネットワーク側機器５００のダウンリンク・スケジューリング・ユニット３０１はまた、ダウンリンクデータ最大時間間隔取得ユニット７０１、および第３スケジューリング同期要求受信およびフィードバックサブユニット７０２を含んでもよい。
【００８３】
ダウンリンクデータ最大時間間隔取得ユニット７０１は、ＵＥのサービスのクラス、およびＤＲＸサイクルの長さに従って、ＵＥがダウンリンクデータを受け取る最大時間間隔、およびダウンリンクスケジューリングが始まる瞬間を得るように適合される。第３スケジューリング同期要求受信およびフィードバックサブユニット７０２は、スケジューリング同期処理サブユニット３０４により送信されるスケジューリング同期要求メッセージを受け取り、ＵＥがダウンリンクデータを受け取る最大時間間隔、およびダウンリンクスケジューリングが始まる瞬間をスケジューリング同期処理サブユニット３０４にフィードバックするように適合される。
【００８４】
したがって、ネットワーク側機器５００内のアップリンク・スケジューリング・ユニット３０２は、アップリンクデータ最大時間間隔取得ユニット７０３、および第４スケジューリング同期要求受信およびフィードバックサブユニット７０４を含む。
【００８５】
アップリンクデータ最大時間間隔取得ユニット７０３は、ＵＥのサービスのクラス、およびＤＲＸサイクルの長さに従って、ＵＥがアップリンクデータを受け取る最大時間間隔、およびアップリンクスケジューリングが始まる瞬間を得るように適合される。第４スケジューリング同期要求受信およびフィードバックサブユニット７０４は、スケジューリング同期処理サブユニット３０４により送信されるスケジューリング同期要求メッセージを受け取り、ＵＥがアップリンクデータを受け取る最大時間間隔、およびアップリンクスケジューリングが始まる瞬間をスケジューリング同期処理サブユニット３０４にフィードバックするように適合される。アップリンクスケジューリングが始まる瞬間、およびダウンリンクスケジューリングが始まる瞬間は、同じ、またはできるだけ同じである。
【００８６】
この実施形態によるネットワーク側機器５００では、ＡＮＲ処理ユニット３０３に加えて、アップリンク・スケジューリング・ユニット３０２またはダウンリンク・スケジューリング・ユニット３０１はまた、ＵＥがダウンリンクデータを受け取る最大時間間隔、ＵＥがアップリンクデータを受け取る最大時間間隔、ダウンリンクスケジューリングが始まる瞬間、およびアップリンクスケジューリングが始まる瞬間に従って、ＵＥのアップリンク資源割当およびダウンリンク資源割当が同時に制限される期間を決定することができる。
【００８７】
この実施形態によるネットワーク側機器は、ＵＥのアップリンク資源およびダウンリンク資源に対するスケジューリング同期交渉を行って、ある期間中、ＵＥのアップリンク資源割当およびダウンリンク資源割当を同時に制限することができ、その結果、ＵＥは、未知の隣接セルのブロードキャストメッセージを読み出しているとき、アップリンクおよびダウンリンクの資源によりできるだけ割り込まれず、したがって、システム・ブロードキャスト・メッセージを読み出すより多くの空き時間を有する。したがって、ＵＥは、未知の隣接セルのブロードキャストメッセージを迅速に読み出すことができるようにされる。
【００８８】
＜実施形態４＞
図１０に示されるように、この実施形態はブロードキャストメッセージを読み出すシステムを提供し、システムは、ＵＥ１６０２、および実施形態３によるネットワーク側機器１６０２（すなわち、実施形態３のネットワーク側機器５００）を含む。ＵＥ１６０２は、測定情報をネットワーク側機器１６０１に報告し、ネットワーク側機器１６０１の指示に従って、未知の隣接セルのブロードキャストメッセージを読み出すように適合される。ネットワーク側機器１６０１はｅＮＢまたはＲＮＣである。
【００８９】
この実施形態に従ってブロードキャストメッセージを読み出すシステムのワークフローが、ネットワーク側機器１６０１が一例としてｅＮＢである状況を取り上げることにより以下で説明され、この場合、ネットワーク側機器１６０１の構成は、図５に示されるように、ダウンリンク・スケジューリング・ユニット３０１、アップリンク・スケジューリング・ユニット３０２、およびＡＮＲ処理ユニット３０３を含む。図１１に示されるように、具体的流れは以下の通りである。
【００９０】
１．ＵＥ１６０２が未知の隣接セルのＰＣＩを保持する測定報告を報告し、このとき、ｅＮＢは、ＵＥが未知の隣接セルを発見したと考えて、ＡＮＲ処理ユニット３０３が、「スケジューリング同期要求」メッセージをダウンリンク・スケジューリング・ユニット３０１に送信する。
【００９１】
２．ダウンリンク・スケジューリング・ユニット３０１が「スケジューリング同期交渉」メッセージをアップリンク・スケジューリング・ユニット３０２に送信して、アップリンク・スケジューリング・ユニット３０２がスケジューリング要求を受け入れることができるかどうかを問い合わせる。
【００９２】
３．ダウンリンク・スケジューリング・ユニット３０１の要求メッセージ、ＵＥ１６０２のサービスタイプ、およびＤＲＸサイクルの長さに従って、アップリンク・スケジューリング・ユニット３０２は、ＵＥがアップリンクデータを受け取る時間間隔（すなわち、最大アップリンクスケジューリング時間窓）を拡大し、アップリンクスケジューリングが始まる瞬間を得るために、ＵＥ１６０２が許容することができる最小スケジューリングデータ量を計算する。
【００９３】
４．アップリンク・スケジューリング・ユニット３０２は、「スケジューリング同期フィードバック」メッセージをダウンリンク・スケジューリング・ユニット３０１にフィードバックして、ユニットがダウンリンク・スケジューリング・ユニット３０１の要求を受け入れることを示す。
【００９４】
５．ＵＥ１６０２のサービスタイプ、およびＤＲＸサイクルの長さに従って、ダウンリンク・スケジューリング・ユニット３０１は、ＵＥ１６０２がダウンリンクデータを受け取る時間間隔（すなわち、最大ダウンリンクスケジューリング時間窓）を拡大し、アップリンクスケジューリングが始まる瞬間と同期してダウンリンクスケジューリングが始まる瞬間を得るために、ＵＥ１６０２が許容することができる最小スケジューリングデータ量を計算する。
【００９５】
６．交渉を通して合意に達した後、アップリンク・スケジューリング・ユニット３０２およびダウンリンク・スケジューリング・ユニット３０１は、ＵＥ１６０２のアップリンク資源割当およびダウンリンク資源割当が同時に制限される期間、ならびにスケジューリング同期が始まる瞬間を決定し、「トリガＡＮＲ要求」メッセージをｅＮＢのＡＮＲ処理ユニット３０３に送信する。ＵＥ１６０２のアップリンク資源割当およびダウンリンク資源割当を同時に制限することは、具体的には、ＵＥ１６０２に対するアップリンクまたはダウンリンクのスケジューリングを行わないこと、またはＵＥのＱｏＳが満たされることを前提に、より少ないアップリンクおよびダウンリンクの資源をＵＥ１６０２に割り当てて、それにより、ＵＥ１６０２が未知の隣接セルのシステム・ブロードキャスト・メッセージ（たとえばＰＬＭＮ  Ｉｄ、ＣＧＩ、ＴＡＣ、またはＲＡＣ）を読み出す十分な時間（ＤＲＸスリープ期間）を有することができるようにすることである。
【００９６】
７．ＡＮＲ処理ユニット３０３は、測定構成をＵＥ１６０２に届けて、ＰＣＩに対応するＣＧＩのような情報を読み出すようＵＥ１６０２に指示し、ＵＥ１６０２のアップリンク資源割当およびダウンリンク資源割当が同時に制限される期間を測定するように適合されるタイマを設定する。
【００９７】
８．ＵＥ１６０２は指定された期間以内にＧＣＩのような情報をうまく読み出して報告する、またはステップ７でのタイマが満了し、そのことがＡＮＲ処理ユニット３０３をトリガして、スケジューリングポリシ調節を取り消す。
【００９８】
９．ＡＮＲ処理ユニット３０３が、「スケジューリング同期取消」メッセージをダウンリンク・スケジューリング・ユニット３０１に送信する。
【００９９】
１０．ダウンリンク・スケジューリング・ユニット３０１が、ＵＥ１６０２の通常のスケジューリングを回復して、ＵＥ１６０２のＱｏＳを保証するために、「スケジューリング同期取消」メッセージをアップリンク・スケジューリング・ユニット３０２に送信する。
【０１００】
ワークフローでは、ダウンリンク・スケジューリング・ユニット３０１が要求をアップリンク・スケジューリング・ユニット３０２に送信してスケジューリング同期交渉を行う状況が一例として取り上げられているが、交渉手順はそれに限定されない。交渉手順はまた、ダウンリンク・スケジューリング・ユニット３０１が、ＵＥ１６０２がダウンリンクデータを受け取る時間間隔、およびダウンリンクスケジューリングが始まる瞬間をまず得て、次に、結果をアップリンク・スケジューリング・ユニット３０２に送信して、交渉を行うことでもよい。さらに、本発明の実施形態は、ダウンリンク・スケジューリング・ユニット３０１が交渉メッセージをアップリンク・スケジューリング・ユニット３０２に送信する状況に限定されず、状況はまた、アップリンク・スケジューリング・ユニット３０２が、要求をダウンリンク・スケジューリング・ユニット３０１に送信して、スケジューリング同期交渉を行うことでも、ＡＮＲ処理ユニット３０３が、「スケジューリング同期要求」メッセージをダウンリンク・スケジューリング・ユニット３０１およびアップリンク・スケジューリング・ユニット３０２に同時に送信して、スケジューリング同期交渉を行うことでもよい。
【０１０１】
ブロードキャストメッセージを読み出すシステムを採用することにより、ネットワーク側機器１６０１は、ＵＥ１６０２のアップリンク資源およびダウンリンク資源に対するスケジューリング同期交渉を行って、ある期間中、ＵＥ１６０２のアップリンク資源割当およびダウンリンク資源割当を同時に制限することができ、その結果、ＵＥ１６０２は、未知の隣接セルのブロードキャストメッセージを読み出しているとき、アップリンクおよびダウンリンクの資源によりできるだけ割り込まれず、それにより、システム・ブロードキャスト・メッセージを読み出すより多くの空き時間を有する。したがって、ＵＥ１６０２は、未知の隣接セルのブロードキャストメッセージを迅速に読み出すことができるようにされる。
【０１０２】
本発明の実施形態による方法の手順のすべてまたは一部は、プログラムが適切なハードウェアに指示することにより実現されることができることを当業者は理解することができる。コンピュータプログラムは、コンピュータ読出可能記憶媒体内に記憶されることができる。プログラムが実行されるとき、本発明の実施形態による方法の手順が実行される。記憶媒体は、磁気ディスク、光ディスク、読出専用メモリ（ｒｅａｄ  ｏｎｌｙ  ｍｅｍｏｒｙ、ＲＯＭ）、ランダム・アクセス・メモリ（ｒａｎｄｏｍ  ａｃｃｅｓｓ  ｍｅｍｏｒｙ、ＲＡＭ）などでもよい。
【０１０３】
上記説明は本発明のいくつかの実施形態でしかないが、本発明を限定することが意図されない。本発明の精神を逸脱することなく当業者により行われる様々な変更および修正が、本発明の保護範囲に入るものである。したがって、本発明の保護範囲は添付の特許請求の範囲による。
【図１】
0005404916.tif 000002
【図２】
0005404916.tif 000003
【図３】
0005404916.tif 000004
【図４】
0005404916.tif 000005
【図５】
0005404916.tif 000006
【図６】
0005404916.tif 000007
【図７】
0005404916.tif 000008
【図８】
0005404916.tif 000009
【図９】
0005404916.tif 000010
【図１０】
0005404916.tif 000011
【図１１】
0005404916.tif 000012